【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
ＧＰＳ受信機において粗雑なＧＰＳ時間を設定する方法であって、
ａ）予測ナビゲーションビットの列を要求することと、
ｂ）予測ナビゲーションビットを受信することと、
ｃ）ナビゲーションビットの受信時間をセーブすることと、
ｄ）予測ナビゲーションビット内で予測時間表示フィールドの位置を特定することと、
ｅ）位置を特定された時間表示フィールドに応答して、粗雑な時間設定を判断することと、
ｆ）粗雑な時間設定と受信時間との差に応答して、ＧＰＳ受信機内で粗雑なＧＰＳ時間を設定することとを含む方法。
【請求項２】
パターン照合アルゴリズムを行って、精密なＧＰＳ時間を与えることをさらに含む請求項１記載の方法。
【請求項３】
ａ）粗雑な時間設定における予想誤差を判断することと、
ｂ）ＧＰＳクロックにおける予想誤差を考慮に入れて、ＧＰＳ受信機内で粗雑なＧＰＳ時間を設定することとをさらに含む請求項１記載の方法。
【請求項４】
予測ナビゲーションビットが、複数のフレームを含むフォーマットで受信される方法であって、各フレームが、複数のサブフレームに編成され、各サブフレームが、時間表示フィールドをもち、予測ナビゲーションビットの少なくとも１つのサブフレームを含み、
予測ナビゲーションビットの少なくとも１つのサブフレーム内に、予測時間表示フィールドの位置を特定することと、
予測時間表示から粗雑なＧＰＳ時間を計算することとをさらに含む請求項１記載の方法。
【請求項５】
予測ナビゲーションビットフィールドが、予測ナビゲーションビットの列の長さを特定するデータ長と、実際のナビゲーションビットのフレーム内の予測ナビゲーションビットの位置を示す参照ビット数と共に送信される方法であって、
参照ビット数の値とデータ長とに基づいて、予測ナビゲーションビットの列内の第１のビットの、実際のナビゲーションビットのフレーム内の位置を判断することと、
参照ビット数の値に基づいて、予測ナビゲーションビット内の時間表示フィールドの位置を特定することと、
位置を特定された時間表示フィールドを復号して、予測時間表示を与えることと、
予測ナビゲーションビットの列の第１のビットが受信された時間を基準にして、粗雑なＧＰＳ時間を判断することと、
予測ナビゲーションビットの列の第１のビットと一致して、ＧＰＳ受信機内で粗雑なＧＰＳ時間を設定することとをさらに含む請求項１記載の方法。
【請求項６】
ＭＳおよび基地局が、ＧＳＭシステムを使用して通信している請求項１記載の方法。
【請求項７】
ＧＰＳ時間と同期する複数のＳＶから定期的に送信されるナビゲーションビットを使用して、所在位置を判断する移動局であって、定期的に送信されるナビゲーションビットが時間表示フィールドを含み、移動局が、１つ以上の基地局および所在位置判断エンティティ（position determining entity, PDE）とも通信し、
基地局およびＰＤＥと通信する双方向通信システムと、
ＧＰＳクロックを含む所在位置位置特定システムと、
ＰＤＥからの支援メッセージを要求する手段であって、支援メッセージが、ＧＰＳ時間とほぼ同期する基地局から送られた予測ナビゲーションビットの列を含む手段と、
支援メッセージの受信時間をセーブする手段と、
予測ナビゲーションビット内の予測時間表示フィールドの位置を特定する手段と、
位置を特定された時間表示フィールドに応答して、予測される週の時間を判断する手段と、
予測される週の時間と受信時間とに応答して、ＧＰＳ受信機内で粗雑なＧＰＳ時間を設定する手段とを含む移動局。
【請求項８】
粗雑なＧＰＳ時間と予測ナビゲーションビットとに応答して、パターン照合アルゴリズムを行なって、精密なＧＰＳ時間を与える手段をさらに含む請求項７記載の移動局。
【請求項９】
週の時間における予想誤差を判断する手段と、
ＧＰＳクロックの予想誤差を設定する手段を含むＧＰＳ受信機内で粗雑なＧＰＳ時間を設定する手段とをさらに含む請求項７記載の移動局。
【請求項１０】
送信されたナビゲーションビットが複数のフレームを含むフォーマットをもち、各フレームが、複数のサブフレームに編成され、各サブフレームが、時間表示フィールドをもち、支援メッセージが、予測ナビゲーションビットの少なくとも１つのサブフレームを含む移動局であって、
予測ナビゲーションビットのサブフレーム内の予測時間表示フィールドの位置を特定する手段と、
予測時間表示に応答して、週の時間を計算する手段とをさらに含む請求項７記載の移動局。
【請求項１１】
支援メッセージが、予測ナビゲーションビットの長さを特定するデータ長フィールドと、実際のナビゲーションビットのフレーム内のビットを示す参照ビット数とを含む移動局であって、
参照ビット数フィールドと長さフィールドとに応答して、実際のナビゲーションビットのフレーム内の列の第１のビットの位置に対応する予測ナビゲーションビットの列の第１のビットを判断する手段と、
予測ナビゲーションビットの列の第１のビットの位置に応答して、予測ナビゲーションビット内の時間表示フィールドの位置を特定する手段と、
予測時間表示に応答して、予測ナビゲーションビットの列の第１のビットにおいて、週の時間を判断する手段と、
予測ナビゲーションビットの列の第１のビットと一致して、週の時間に応答して、ＧＰＳ受信機内で粗雑なＧＰＳ時間を設定する手段とをさらに含む請求項１０記載の移動局。
【請求項１２】
ＩＳ−８０１標準を使用して、基地局および所在位置判断エンティティ（ＰＤＥ）と通信する移動局（mobile station, MS）において、ＧＰＳ受信機を粗雑なＧＰＳ時間に同期させる方法であって、ＧＰＳ受信機が、ＧＰＳ時間と同期した複数のＳＶから、定期的に送信されるナビゲーションビットを受信するように構成され、送信されたナビゲーションビットが、複数のフレームを含むフォーマットをもち、各フレームが、複数のサブフレームに編成され、各サブフレームが、サブフレームカウントメッセージをもち、
ＭＳによって、ＰＤＥから感度支援（sensitivity assistance, SA）メッセージを要求し、ＳＡメッセージが、
少なくとも１つのサブフレームを含む予測ナビゲーションビットの列を含む予測ナビゲーションビットフィールドと、
予測ナビゲーションビットフィールドの長さを特定するデータレコードサイズフィールドと、
実際のナビゲーションビットのフレーム内のビットを示し、それによって予測ナビゲーションビットとナビゲーションビットのグループとを関係付ける参照ビット数フィールドとを含むことと、
ＭＳからの要求に応答して、ＧＰＳ時間とほぼ同時に基地局からＳＡメッセージを送ることと、
ＭＳにおいてＳＡメッセージを受信して、ＳＡメッセージの受信時間をセーブすることと、
参照ビット数フィールドとデータレコードサイズフィールドとに応答して、実際のナビゲーションビットのフレーム内の列の第１のビットの位置に対応する予測ナビゲーションビットの列の第１のビットを判断することと、
予測ナビゲーションビットの列の第１のビットの位置に応答して、予測ナビゲーションビット内のサブフレームカウントフィールドの位置を特定することと、
位置を特定されたサブフレームカウントフィールドを復号して、予測サブフレームカウント値を与えることと、
予測サブフレームカウント値に応答して、予測ナビゲーションビットの列の第１のビットにおいて週の時間を判断することと、
予測ナビゲーションビットの列の第１のビットと一致して、予測サブフレームカウントと受信時間とに応答して、ＧＰＳ受信機内で粗雑なＧＰＳ時間を設定することとを含む方法。
【請求項１３】
週の時間の予想誤差を判断することをさらに含む方法であって、粗雑なＧＰＳ時間を設定することが、予想誤差を設定することをさらに含む請求項１２記載の方法。
【請求項１４】
予測サブフレームカウント値が、週単位での時間参照に関して定められ、週の時間を判断することが、予測サブフレームカウント値と、予測ナビゲーションビットの列の第１のビットの位置とに応答して、週単位での時間参照から、予測ナビゲーションビットの列の第１のビットまでに経過したビットの数に対応する週のビットを計算することを含む請求項１３記載の方法。
【請求項１５】
週のビットを計算することが、予測ナビゲーションビットの列の第１のビットが、サブフレームカウントフィールドと同じサブフレーム内にあるかどうかを判断することと、それに応答して、予測サブフレームカウント値を調節することとを含む請求項１４記載の方法。
【請求項１６】
粗雑なＧＰＳ時間と予測ナビゲーションビットとに応答して、パターン照合アルゴリズムを行って、精密なＧＰＳ時間を与えることをさらに含む請求項１２記載の方法。
【請求項１７】
ＭＳおよび基地局が、ＧＳＭシステムを使用して通信している請求項１２記載の方法。